【事件の表示】
　特許第３１２８１９７号「コーティング組成物」の請求項１ないし５に係る特許に対する特許異議の申立てについて、次のとおり決定する。
【結　論】
　特許第３１２８１９７号の請求項１ないし５に係る特許を維持する。
【理　由】
１．手続の経緯
　特許第３１２８１９７号の請求項１ないし５に係る発明についての出願は平成８年２月２２日に特許出願され、平成１２年１１月１０日にその発明について特許権の設定登録がなされ、その後、その特許について、特許異議申立人黒神朱砂より特許異議の申立がなされたものである。
２．特許異議申立て理由の概要
　特許異議申立人黒神朱砂は、証拠方法として甲第１号証（特開昭５４−９１５４６号公報）及び甲第２号証（特開平５−３４５８７７号公報）を提出し、本件特許第３１２８１９７号の請求項１に係る発明は、甲第１号証に記載された発明に基づいて当業者が容易に発明をすることができたものであり、請求項２ないし５に係る発明は、甲第１、２号証に記載された発明に基づいて当業者が容易に発明をすることができたものであり、いずれも特許法第２９条第２項の規定により特許を受けることができないものであるから、その特許は、特許法第１１３条第２号に該当するので取り消されるべきものである旨主張している。
３．本件発明
　本件特許第３１２８１９７号の請求項１ないし５に係る発明（以下、それぞれ「本件発明１ないし５」という。）は、その特許請求の範囲の請求項１ないし５に記載された次の事項により特定されるとおりのものである。
「【請求項１】（ａ）一般式（１）Ｒ１ｎＳｉ（ＯＲ２）４−ｎ〔式中Ｒ１は炭素数１〜８のアルキル基、γ−クロロプロピル基、ビニル基、３，３，３−トリフロロプロピル基、γ−グリシドキシプロピル基、γ−メタクリルオキシプロピル基、γ−メルカプトプロピル基、フェニル基、３，４−エポキシシクロヘキシルエチル基及びγ−アミノプロピル基からなる群から選ばれた有機基、Ｒ２は炭素数１〜５のアルキル基、ｎは１又は２である〕で示されるオルガノシラン及び／又はその部分加水分解縮合物１００重量部と
（ｂ）一般式（２）Ｒ１３ＳｉＯＲ２〔式中Ｒ１，Ｒ２は上記と同じ〕で示されるオルガノシラン０．３〜２０重量部と
（ｃ）一般式−ＳｉＸＰ（Ｒ３）（３−Ｐ）〔式中、Ｘはアルコキシ、アシロキシ、ハロゲン、ケトキシメート、アミノ、酸アミド、アミドオキシ、メルカプト、アルケニルオキシ及びフェノキシからなる群から選ばれた加水分解性基又は水酸基；Ｒ３は水素又は炭素数１〜１０のアルキル基、アリール基及びアラルキル基からなる群から選ばれた１価の炭化水素基；Ｐは１〜３の整数である〕で示されるシリル基を含有するビニル系樹脂２〜２００重量部
とを反応させて得られる生成物を結合剤とするコーティング組成物。
【請求項２】（ａ）一般式（１）Ｒ１ｎＳｉ（ＯＲ２）４−ｎ〔式中Ｒ１は炭素数１〜８のアルキル基、γ−クロロプロピル基、ビニル基、３，３，３−トリフロロプロピル基、γ−グリシドキシプロピル基、γ−メタクリルオキシプロピル基、γ−メルカプトプロピル基、フェニル基、３，４−エポキシシクロヘキシルエチル基及びγ−アミノプロピル基からなる群から選ばれた有機基、Ｒ２は炭素数１〜５のアルキル基、ｎは１又は２である〕で示されるオルガノシラン及び／又はその部分加水分解縮合物１００重量部と
（ｂ）一般式（２）Ｒ１３ＳｉＯＲ２〔式中Ｒ１，Ｒ２は上記と同じ〕で示されるオルガノシラン０．３〜２０重量部と
（ｃ）一般式−ＳｉＸＰ（Ｒ３）（３−Ｐ）〔式中、Ｘはアルコキシ、アシロキシ、ハロゲン、ケトキシメート、アミノ、酸アミド、アミドオキシ、メルカプト、アルケニルオキシ及びフェノキシからなる群から選ばれた加水分解性基又は水酸基；Ｒ３は水素又は炭素数１〜１０のアルキル基、アリール基及びアラルキル基からなる群から選ばれた１価の炭化水素基；Ｐは１〜３の整数である〕で示されるシリル基を含有するビニル系樹脂２〜２００重量部と
（ｄ）Ｚｒ，Ｔｉ又はＡｌ系金属キレート化合物０．０１〜５０重量部
とを反応させて得られる生成物を結合剤とするコーティング組成物。
【請求項３】上記（ａ）成分は、一般式（１）のオルガノシランとその部分加水分解縮合物との重量比が（５：９５〜６０：４０）からなる請求項１又は２のコーティング組成物。
【請求項４】上記（ａ）成分は、一般式Ｒ１Ｓｉ（ＯＲ２）３〔式中Ｒ１，Ｒ２は上記と同じ〕で示されるオルガノシラン及び／又はその部分加水分解縮合物（ａ−１）と、一般式Ｒ１２Ｓｉ（ＯＲ２）２〔式中Ｒ１，Ｒ２は上記と同じ〕で示されるオルガノシラン及び／又はその部分加水分解縮合物（ａ−２）との重量比が（５０：５０〜１００：０）からなる請求項１，２又は３のコーティング組成物。
【請求項５】上記（ａ）成分は、一般式Ｒ１Ｓｉ（ＯＲ２）３〔式中Ｒ１，Ｒ２は上記と同じ〕で示されるオルガノシラン及び／又はその部分加水分解縮合物（ａ−１）と、一般式Ｒ１２Ｓｉ（ＯＲ２）２〔式中Ｒ１，Ｒ２は上記と同じ〕で示されるオルガノシラン及び／又はその部分加水分解縮合物（ａ−２）との重量比が（５５：４５〜９０：１０）からなる請求項１，２又は３のコーティング組成物。」
４．本件発明１について
　甲第１号証には、「（Ａ）式（省略）で示されるシリル基を分子中に少なくとも一つ有するポリエステル、・・・ビニル系重合体、・・・の１種又は２種以上の混合物。（Ｂ）１分子中に少なくとも１種の珪素原子に結合されたＶ基（Ｖはハイドライド基、・・・アルコキシ基、・・・より選ばれる基）を有し、珪素原子が１〜２０のシリコン化合物の１種又は２種以上の混合物。上記（Ａ），（Ｂ）を有効成分として含有する室温硬化性組成物。」（請求項１）が記載されており、該室温硬化性組成物が、がコーティング材として有用であること（第６頁左上欄第１０〜１３行）も記載されている。
　本件発明１と甲第１号証に記載された発明を対比すると、前者において（ａ）成分として特定されるオルガノシラン及び／又はその部分加水分解縮合物（以下、「（ａ）成分」という。）と（ｂ）成分として特定されるオルガノシラン（以下、「（ｂ）成分」という。）は、後者における上記（Ｂ）成分に包含され、前者における（ｃ）成分として特定されるシリル基を含有するビニル系樹脂は、後者における上記（Ａ）成分と重複するものである。しかし、甲第１号証では、該（ａ）、（ｂ）成分は、同等の効果を有する一群のシリコン化合物として、単独又は混合使用しうることを示すものであって、そこには、本件発明１の如く（ｂ）成分を特定量併用する点に関してはなんら記載されておらず、それによる効果の記載もない。
　また、甲第２号証には、コーティング組成物に係る発明が記載されているが、その成分として本件発明１における（ｂ）成分は記載されていない。
　そして、本件発明１は、特定量の（ｂ）成分を、（ａ）、（ｃ）成分と併用することにより、耐熱水性、耐凍害性、耐汚染性、耐候性に優れた塗膜を形成するコーティング組成物が得られるという効果を奏するものである。
　したがって、本件発明１は、甲第１号証に記載された発明に基づいて当業者が容易に発明をすることができたものではなく、また、甲第１、２号証に記載された発明に基づいて当業者が容易に発明をすることができたものでもない。
５．本件発明２ないし５について
　本件発明２は、本件発明１の組成物にさらに（ｄ）成分として、Ｚｒ，Ｔｉ又はＡｌ系金属キレート化合物を配合するものであり、本件発明３ないし５は、（ａ）成分を更に限定するものであるので、本件発明２ないし５は、いずれも、上記（１）と同じ理由により、甲第１、２号証に記載された発明に基づいて当業者が容易に発明をすることができたものではない。
６．むすび
　以上のとおりであるから、特許異議申立ての理由及び提出した証拠方法によっては、本件発明１ないし５の特許を取り消すことはできない。
　また、他に本件発明１ないし５の特許を取り消すべき理由を発見しない。
　よって、結論のとおり決定する。
【異議決定日】
平成１４年５月２４日（２００２．５．２４）